(57)【要約】      （修正有）【課題】本考案は無線送受信用ループアンテナに付けたコイルの接点より高周波電力を供給、信号を受信するものである。【解決手段】ループアンテナの方形の各辺に短縮コイルを入れ、相対するコイル接点より送受信機と接続、受給電する。ループ全体が円形のコイルでも相対する位置から受給電する。ループアンテナの各辺に入れた短縮コイルの相対するコイルの各位置より引出した接点より同軸フィーダーで送受信機と接続すると、入力インピーダンスが整合され、電力も入り送受信感度が１波長のループと同程度に高感度である。整合機なしで広帯域に使用出来るのでアンテナが１波長の１／８に小さく、全部をコイルとすれば直径が１／９０波長の小形アンテナとなる。【選択図】図１
0003125181.tif 000002
【実用新案登録請求の範囲】
【請求項１】
ループアンテナの各辺に入れたコイルの相対する２つより受信信号を受電し送信電力を給電するもの。
【請求項２】
全部がコイルのループアンテナで、コイルの相対する位置より受信信号を受電し、送信電力を給電するもの。
【考案の詳細な説明】
【技術の分野】
【０００１】  本考案は無線送受信用ループアンテナに付けたコイルの接点より高周波電力を供給、信号を受信する方法に関するものである。
【背景技術】
【０００２】  無線のループアンテナは１周が１波長で、ものすごく大きくなるが、その短縮にコイルを入れると感度が悪く、しかも電力が大きく入らない。
【考案の開示】
【考案が解決しようとする課題】
【０００３】  無線のループアンテナを短縮すればするほど感度が悪く、電力も入らなくなるが非常に小さく短縮してもこれらが良好になる様に欠点を解決しようとするものである。
【課題を解決するための手段】
【０００４】  ループアンテナの各辺に短縮コイルを入れ、相対するコイルより給電する。ループ全体がコイルでも相対する位置から給電する事で問題点を解決している。
【考案の効果】
【０００５】  ループアンテナの各辺に入れた短縮コイルの相対するコイルの各位置より引出した接点より同軸フィーダーで送受信機と接続すると、入力インピーダンスが整合され、電力も入り送受信感度が１波長のループと同程度に高感度である。整合機（アンテナチューナやアンテナカプラ）なしで広帯域に使用出来るのでアンテナが１波長の１／８に小さく、全部をコイルとすれば直径が１／９０波長の小形アンテナとなった。
【考案を実施するための最良の形態】
【０００６】  長方形や多角形の各辺に入れた短縮コイルの相対するコイルのタップより給電する。タップ位置を可変とする事で最良位置を決める。全部がコイルの非常に小形アンテナも実用的にできる。
【実施例１】
【０００７】  以下、添付図面に従って実施例を説明する。図１の方形ループアンテナの場合、最長使用８０ｍバンドの場合、▲１▼のコイルは５０μＨ（マイクロ・ヘンリー）程度、上辺、下辺は２ｍ以上、縦は４ｍ以上で縦（左右）のコイル位置は１／４程度で１周８０ｍ必要なループアンテナが１周１２ｍの小さなものとなっている。国内全域と小電力（５０ワット）で安定した交信をしている。しかもこれより短い波長の４０ｍバンドや２０ｍバンドにも広帯域に整合しこれらのバンドでも安定した交信をしている。
【実施例２】
【０００８】  添付図面、図２は全部がコイルのループアンテナで円形の物を示しているが、▲１▼コイルを直径４５ｃｍ程度の▲２▼枠に全部巻き下方から１／３程度のコイル位置から両方に給電する。この小さなアンテナで４０ｍバンドでは安定に小電力で国内全域と交信している。従来の考えでは不可能な送信アンテナで非常に小形で設置が簡単である。
【図１】
0003125181.tif 000003
【図２】
0003125181.tif 000004
【手続補正書】
【提出日】平成18年6月3日(2006.6.3)
【手続補正１】
【補正対象書類名】実用新案登録請求の範囲
【補正対象項目名】全文
【補正方法】変更
【補正の内容】
【実用新案登録請求の範囲】
【請求項１】
ループアンテナの各辺に入れたコイルの相対する２点より送受信機に接続し受信信号を受電し送信電力を供給する角形、円形の形状を有するループアンテナ。
【請求項２】
全部がコイルのループアンテナで、コイルの相対する位置より送受信機に接続し受信信号を受電し、送信電力を給電する角形、円形の形状を有するループアンテナ。
【手続補正２】
【補正対象書類名】明細書
【補正対象項目名】全文
【補正方法】変更
【補正の内容】
【考案の詳細な説明】
【技術分野】
【０００１】  本考案は無線送受信用ループアンテナに付けたコイルの接点より高周波電力を供給、信号を受信する方法に関するものである。
【背景技術】
【０００２】  無線のループアンテナは１周が１波長で、ものすごく大きくなるが、その短縮にコイルを入れると感度が悪く、しかも電力が大きく入らない。
【考案の開示】
【考案が解決しようとする課題】
【０００３】  無線のループアンテナを短縮すればするほど感度が悪く、電力も入らなくなるが非常に小さく短縮してもこれらが良好になる様に欠点を解決しようとするものである。
【課題を解決するための手段】
【０００４】  ループアンテナの方形の各辺に短縮コイルを入れ、相対するコイル接点より送受信機と接続、受給電する。ループ全体が円形のコイルでも相対する位置から受給電する事で問題点を解決している。
【考案の効果】
【０００５】  ループアンテナの各辺に入れた短縮コイルの相対するコイルの各位置より引出した接点より同軸フィーダーで送受信機と接続すると、入力インピーダンスが整合され、電力も入り送受信感度が１波長のループと同程度に高感度である。整合機（アンテナチューナやアンテナカプラ）なしで広帯域に使用出来るのでアンテナが１波長の１／８に小さく、全部をコイルとすれば直径が１／９０波長の小形アンテナとなった。
【考案を実施するための最良の形態】
【０００６】  三角形、長方形や多角形の各辺に入れた短縮コイルの相対するコイルのタップより送受信機と接続、受給電する。タップ位置を可変とする事で最良位置を決める。全部がコイルの非常に小形アンテナも実用的にできている。
【実施例１】
【０００７】  以下、添付図面に従って実施例を説明する。図１の方形ループアンテナの場合、最長使用８０ｍバンドの場合、１のコイルは５０μＨ（マイクロ・ヘンリー）程度、上辺、下辺は２ｍ以上、縦は４ｍ以上で縦（左右）のコイル位置は１／４程度で１周８０ｍ必要なループアンテナが１周１２ｍの小さなものとなっている。国内全域と小電力（５０ワット）で安定した交信をしている。しかもこれより短い波長の４０ｍバンドや２０ｍバンドにも広帯域に整合しこれらのバンドでも安定した交信をしている。
【実施例２】
【０００８】  添付図面、図２は全部がコイルのループアンテナで円形の物を示しているが、１コイルを直径４５ｃｍ程度の２枠に全部巻き下方から１／３程度のコイル位置から両方に給電する。この小さなアンテナで４０ｍバンドでは安定に小電力で国内全域と交信している。従来の考えでは不可能な送信アンテナで非常に小形で設置が簡単である。
【図面の簡単な説明】
【０００９】
【図１】角形のものの立面図兼結線図。
【図２】円形で全コイルのものの立面図兼結線図。
【符号の説明】
【００１０】［図１の符号の説明］
１  コイル
２  導体素子
３  送受信機
［図２の符号の説明］
１  コイル
２  枠
３  送受信機